(57)【要約】【課題】複数電子ビーム方式の電子銃及びこの電子銃を備えた表示装置において、ビームスポットサイズ（Ｖｓｓ）のばらつきの抑制を図る。【解決手段】電子銃における少なくとも第１電極Ｇ１に１つのカソードＫに対向して複数のビーム孔３５〔３５Ｒ１及び３５Ｒ２、３５Ｇ１及び３５Ｇ２、３５Ｂ１及び３５Ｂ２〕を設け、複数のビーム孔の形状又は大きさを少なくとも２つのビーム孔３５Ｒ１と３５Ｒ２間、３５Ｇ１と３５Ｇ２間、３５Ｂ１と３５Ｂ２間で異なるようにして成る。【選択図】　　　　図３
2004006144.tif 000002
【特許請求の範囲】
【請求項１】
少なくとも第１電極に１つのカソードに対向して複数のビーム孔が設けられ、
前記複数のビーム孔の形状又は大きさが少なくとも２つのビーム孔の間で異なる
ことを特徴とする電子銃。
【請求項２】
第１電極及び第２電極の夫々に１つのカソードに対向して複数のビーム孔が設けられ、
前記少なくとも一方の電極に設けられた複数のビーム孔の形状又は大きさが少なくとも２つのビーム孔の間で異なる
ことを特徴とする電子銃。
【請求項３】
第１電極及び第２電極のそれぞれに１つのカソードに対向して複数のビーム孔が設けられ、
前記第１電極及び第２電極の夫々に設けられた複数のビーム孔の形状又は大きさが少なくとも２つのビーム孔の間で異なる
ことを特徴とする電子銃。
【請求項４】
前記２つのビーム孔の形状が、互いに相似形状又は非相似形状で且つビーム孔の大きさが異なる
ことを特徴とする請求項１記載の電子銃。
【請求項５】
前記２つのビーム孔の形状が、互いに相似形状又は非相似形状で且つビーム孔の大きさが異なる
ことを特徴とする請求項２記載の電子銃。
【請求項６】
前記２つのビーム孔の形状が、互いに相似形状又は非相似形状で且つビーム孔の大きさが異なる
ことを特徴とする請求項３記載の電子銃。
【請求項７】
前記第１電極のビーム孔と前記第２電極のビーム孔とが互いに相似形状又は非相似形状であり、且つ夫々の前記２つのビーム孔の間で大きさが異なる
ことを特徴とする請求項３記載の電子銃。
【請求項８】
複数の色に対応して複数のカソードを有し、
少なくとも前記第１電極に前記各カソードに対向して夫々複数のビーム孔が設けられて成る
ことを特徴とする請求項１記載の電子銃。
【請求項９】
複数の色に対応して複数のカソードを有し、
前記第１電極及び第２電極の夫々に前記各カソードに対向して複数のビーム孔が設けられて成る
ことを特徴とする請求項２記載の電子銃。
【請求項１０】
複数の色に対応して複数のカソードを有し、
第１電極及び第２電極のそれぞれに１つのカソードに対向して複数のビーム孔が設けられて成る
ことを特徴とする請求項３記載の電子銃。
【請求項１１】
前記２つのビーム孔の形状が、互いに相似形状又は非相似形状で且つビーム孔の大きさが異なる
ことを特徴とする請求項８記載の電子銃。
【請求項１２】
前記２つのビーム孔の形状が、互いに相似形状又は非相似形状で且つビーム孔の大きさが異なる
ことを特徴とする請求項９記載の電子銃。
【請求項１３】
前記２つのビーム孔の形状が、互いに相似形状又は非相似形状で且つビーム孔の大きさが異なる
ことを特徴とする請求項１０記載の電子銃。
【請求項１４】
前記第１電極のビーム孔と前記第２電極のビーム孔とが互いに相似形状又は非相似形状であり、且つ夫々の前記２つのビーム孔の間で大きさが異なる
ことを特徴とする請求項１０記載の電子銃。
【請求項１５】
少なくとも第１電極に１つのカソードに対向して複数のビーム孔設けられ、
前記複数のビーム孔の形状又は大きさが少なくとも２つのビーム孔の間で異なる電子銃を備えて成る
ことを特徴とする表示装置。
【請求項１６】
第１電極及び第２電極の夫々に１つのカソードに対向して複数のビーム孔が設けられ、
前記少なくとも一方の電極に設けられた複数のビーム孔の形状又は大きさが少なくとも２つのビーム孔の間で異なる電子銃を備えて成る
ことを特徴とする表示装置。
【請求項１７】
第１電極及び第２電極のそれぞれに１つのカソードに対向して複数のビーム孔が設けられ、
前記第１電極及び第２電極の夫々に設けられた複数のビーム孔の形状又は大きさが少なくとも２つのビーム孔の間で異なる電子銃を備えて成る
ことを特徴とする表示装置。
【請求項１８】
前記電子銃において、前記２つのビーム孔の形状が、互いに相似形状又は非相似形状で且つビーム孔の大きさが異なる
ことを特徴とする請求項１５記載の表示装置。
【請求項１９】
前記電子銃において、前記２つのビーム孔の形状が、互いに相似形状又は非相似形状で且つビーム孔の大きさが異なる
ことを特徴とする請求項１６記載の表示装置。
【請求項２０】
前記電子銃において、前記２つのビーム孔の形状が、互いに相似形状又は非相似形状で且つビーム孔の大きさが異なる
ことを特徴とする請求項１７記載の表示装置。
【請求項２１】
前記電子銃において、前記第１電極のビーム孔と前記第２電極のビーム孔とが互いに相似形状又は非相似形状であり、且つ夫々の前記２つのビーム孔の間で大きさが異なる
ことを特徴とする請求項１７記載の表示装置。
【請求項２２】
前記電子銃において、複数の色に対応して複数のカソードを有し、
少なくとも前記第１電極に前記各カソードに対向して夫々複数のビーム孔が設けられて成る
ことを特徴とする請求項１５記載の表示装置。
【請求項２３】
前記電子銃において、複数の色に対応して複数のカソードを有し、
前記第１電極及び第２電極の夫々に前記各カソードに対向して複数のビーム孔が設けられて成る
ことを特徴とする請求項１６記載の表示装置。
【請求項２４】
前記電子において、複数の色に対応して複数のカソードを有し、
第１電極及び第２電極のそれぞれに１つのカソードに対向して複数のビーム孔が設けられて成る
ことを特徴とする請求項１７記載の表示装置。
【請求項２５】
前記電子銃において、前記２つのビーム孔の形状が、互いに相似形状又は非相似形状で且つビーム孔の大きさが異なる
ことを特徴とする請求項２２記載の表示装置。
【請求項２６】
前記電子銃において、前記２つのビーム孔の形状が、互いに相似形状又は非相似形状で且つビーム孔の大きさが異なる
ことを特徴とする請求項２３記載の表示装置。
【請求項２７】
前記２つのビーム孔の形状が、互いに相似形状又は非相似形状で且つビーム孔の大きさが異なる
ことを特徴とする請求項２３記載の電子銃。
【請求項２８】
前記第１電極のビーム孔と前記第２電極のビーム孔とが互いに相似形状又は非相似形状であり、且つ夫々の前記２つのビーム孔の間で大きさが異なる
ことを特徴とする請求項２４記載の表示装置。
【発明の詳細な説明】
【０００１】
【発明の属する技術分野】
本発明は、複数ビーム方式の電子銃、及びこの電子銃を備えた表示装置、例えばカラー陰極線管を組み込んだテレビ受像機、モニタ、ディスプレイ、さらに複数色の単色陰極線管を組み込んだ投射型表示装置等の表示装置に関する。
【０００２】
【従来の技術】
従来の例えばコンピュターディスプレイ等に用いられるカラー陰極線管用電子銃は、３つのカソードから３つの電子ビームを取出し、夫々電子ビームが画面（蛍光面）上の赤、緑、青の互いに異なる色の蛍光体層に照射するようになされている。
一般的なカラー陰極線管用電子銃の電極配列の概略構成を図８に示す。この電子銃１は、インライン配列された赤、緑及び青に対応する３つのカソードＫ〔ＫＲ，ＫＧ及びＫＢ〕と、各カソードＫＲ，ＫＧ及びＫＢに対して共通となるように、複数の電極、本例では第１電極Ｇ１、第２電極Ｇ２、第３Ａ電極Ｇ３Ａ、第３Ｂ電極Ｇ３Ｂ、第４電極Ｇ４、第５Ａ電極Ｇ５Ａ、第５Ｂ電極Ｇ５Ｂ、中間電極ＧＭ及び第６電極Ｇ６から成る。第６電極Ｇ６の後段には之と一体のシールドカップＧ７が設けられる。
【０００３】
第５Ｂ電極Ｇ５Ｂと中間電極ＧＭと第６電極Ｇ６で主電子レンズが形成される。第３Ａ電極Ｇ３Ａと第３Ｂ電極Ｇ３Ｂとの間で四重極レンズが形成される。第５Ａ電極Ｇ５Ａと第５Ｂ電極Ｇ５Ｂ間で、画面コーナでの電子ビームの水平、垂直方向を同時にフォーカスさせるための四重極レンズが形成される。第３Ｂ電極Ｇ３Ｂと第５Ａ電極Ｇ５Ａには静的フォーカス電圧ＦＣ供給され、第３Ａ電極と第５Ｂ電極Ｇ５Ｂには動的フォーカス電圧ＦＶが供給される。第６電極Ｇ６にはアノード電圧が供給され、中間電極ＧＭにはアノードと接地間に介挿した内蔵抵抗体２を介して第５Ａ電極Ｇ５Ａと第６電極Ｇ６との中間の電圧が供給される。第２電極Ｇ２と第４電極Ｇ４は互いに共通接続される。
ここで、電子銃の三極構造（いわゆる三極部）３は、カソードＫと、電子ビームを牽引する第２電極Ｇ２と、それら間に入り電界によって電子ビームを制限している第１電極Ｇ１とから成り立っている。
【０００４】
各第１電極Ｇ１〜第６電極Ｇ６、及びシールドカップＧ７には、図示するように夫々３つの電子ビームＢ〔ＢＲ，ＢＧ，ＢＢ〕を通すための各カソードＫＲ，ＫＧ及びＫＢに対して１つのビーム孔が形成される。三極部３に注目すると、１つのカソードに対して１つのビーム孔５、６が設けられる。第１電極Ｇ１、第２電極Ｇ２のビーム孔５〔５Ｒ，５Ｇ，５Ｂ〕、６〔６Ｒ，６Ｇ，６Ｂ〕は真円孔に形成される。図９は、各１つのカソードＫＲ，ＫＧ，ＫＢに対して第１電極Ｇ１に形成される各１つの真円のビーム孔５Ｒ，５Ｇ，５Ｂを示す。
【０００５】
この電子銃１では、インライン配列された各赤、緑及び青に対応する３つのカソードＫＲ，ＫＧ及びＫＢから３つの電子ビームＢ〔ＢＲ，ＢＧ，ＢＢ〕が出射される。電子ビームＢは、第１電極Ｇ１、第２電極Ｇ２を経て、第３電極郡（第３Ａ電極Ｇ３Ａ、第３Ｂ電極Ｇ３Ｂ）によって縦横比を変えられる。次に、電子ビームＢ〔ＢＲ，ＢＧ，ＢＢ〕は第４電極Ｇ４と静的第５Ａ電極Ｇ５Ａ間の電位差によって発散角を調整され、動的第５Ｂ電極Ｇ５Ｂの間の四重極レンズによって偏向時の歪みを整えられ、動的第５Ｂ電極Ｇ５Ｂと中間電極ＧＭと第６電極Ｇ６による主電子レンズによって収束され、図示しない画面（蛍光面）上で集中（コンバージェンス）されて赤、緑、青の各色蛍光体層に照射される。
【０００６】
【発明が解決しようとする課題】
ところで、陰極線管用電子銃においては、１つのカソードから複数の電子ビームを出射して高輝度、高解像度化を図る試みが長年研究されてきた。これまで開発されてきた複ビーム方式の電子銃は、第１電極Ｇ１あるいは第１電極Ｇ１を含むいくつかの電極について、１つのカソードに対向する複数ビーム孔（つまり、１カソードー複ビーム孔）を同径あるいは同形状にして設けられていた。ここで、複数のビーム孔が同径あるいは同形状である複数（例えば２つ）ビーム方式の電子銃においては、１つのカソードから出射され第１電極Ｇ１の２つのビーム孔から出るそれぞれの１本の電子ビーム束を、スモールビームと言う。
【０００７】
同形状のビーム孔を用いた場合、同じカソードから出射される複数、例えば２本のスモールビームをコンバージェンスさせる（いわゆるスモールビームコンバージェンス）させると、ビームスポットサイズ（Ｖｓｓ）のばらつきの要因が増える虞があった。即ち、２つビーム孔が同径、同形状であるが故に、蛍光面上で全く同じ位置を照射しなければ、ビームスポットサイズ（Ｖｓｓ）が必ずスモールビームよりも大きくなり、ばらつきの要因が増えることになる。
【０００８】
さらに、１カソードー複ビーム孔構造の電子銃では、特別に電極を追加する等して、電子銃においてビームをコンバージェンスさせるため、この電極部品の追加で更にビームスポットサイズＶｓｓ）のばらつきの要因が増える虞があった。従って、１カソードー複ビーム構造を用いる電子銃は、長年製品化されていない。
【０００９】
本発明は、上述の点に鑑み、ビームスポットサイズのばらつきを抑え、高輝度、高解像度化を可能にした複数ビーム方式の電子銃、及びこの電子銃を備えた表示装置を提供するものである。
【００１０】
【課題を解決するための手段】
本発明に係る電子銃は、少なくとも第１電極に１つのカソードに対向して複数のビーム孔を設け、複数のビーム孔の形状又は大きさ（例えば径、幅、長さ）を少なくとも２つのビーム孔の間で異なるようにして構成する。
【００１１】
本発明の電子銃では、少なくとも第１電極の１つのカソードに対向する複数ビーム孔の形状又は大きさが少なくとも２つのビーム孔の間で異なるので、蛍光面上において、１つのカソードから出射された複数の電子ビーム束のうち、上記２つのビーム孔の一方のビーム孔を通ったクロスオーバー径（物点径）の大きい電子ビーム束（いわゆるメインビーム）によるビームスポットの中に、他方のビーム孔を通ったクロスオーバー径（物点径）の小さい電子ビーム束（いわゆるサブビーム）によるビームスポットが入る状態になる。このため、ビームスポットサイズ（Ｖｓｓ）のばらつきが抑えられ、且つビームスポットサイズ（Ｖｓｓ）が小さいまま高輝度が得られる。
【００１２】
本発明に係る表示装置は、上記電子銃を備えて構成する。
【００１３】
本発明の表示装置では、上記構成の複数ビーム方式の電子銃を備えることにより、画面上で集中されるビームスポトサイズ（Ｖｓｓ）のばらつきが改善され、高輝度化と共に、高解像度化が可能になり高精細度の画質が得られる。
【００１４】
【発明の実施の形態】
以下、図面を参照して本発明の実施の形態を説明する。
【００１５】
図１は、本発明の実施の形態に係るカラー陰極線管の一例を示す。
本実施の形態に係るカラー陰極線管２１は、陰極線管体（ガラス管体）２２のパネル２２Ｐの内面に赤、緑及び青の各色蛍光体層からなるカラー蛍光面２４が形成され、この蛍光面２４に対向して色選別機構２５が配置され、ネック部２２Ｎ内に本発明による複数ビーム方式の電子銃２６が配置されて成る。管体２２の外側には、電子銃２６からの電子ビームＢ〔ＢＲ，ＢＧ及びＢＢ〕を水平、垂直方向に偏向させるための偏向ヨーク２７配置される。
【００１６】
このカラー陰極線管２１では、電子銃２６の赤、緑及び青に対応するカソードＫ〔ＫＲＫＧ及びＫＢ〕から出射された各色に対応する電子ビームＢＲ，ＢＧ，ＢＢが複数の電極で形成された主電子レンズで収束され、蛍光面２４上でフォーカスされ、且つコンバージェンスされて赤、緑、青の各色蛍光体層に照射される。この電子ビームＢＲ，ＢＧ，ＢＢが偏向ヨーク２７によって水平、垂直方向に偏向されて所要のカラー画像が表示される。
【００１７】
図２及び図３は、かかるカラー陰極線管２１における複数ビーム方式の電子銃２６の一実施の形態を示す。
本実施の形態に係る複数ビーム方式の電子銃２６１は、インライン配列された赤、緑及び青に対応する３つのカソードＫ〔ＫＲ，ＫＧ及びＫＢ〕と、各カソードＫＲ，ＫＧ及びＫＢに対して共通となるように、複数の電極、本例では第１電極Ｇ１、第２電極Ｇ２、第３Ａ電極Ｇ３Ａ、第３Ｂ電極Ｇ３Ｂ、第４電極Ｇ４、第５Ａ電極Ｇ５Ａ、第５Ｂ電極Ｇ５Ｂ、中間電極ＧＭ及び第６電極Ｇ６から成る。第６電極Ｇ６の後段には、之と一体のシールドカップＧ７が設けられる。
【００１８】
前述と同様に、第５Ｂ電極Ｇ５Ｂと中間電極ＧＭと第６電極Ｇ６で主電子レンズが形成される。第３Ａ電極Ｇ３Ａと第３Ｂ電極Ｇ３Ｂとの間で四重極レンズが形成される。第５Ａ電極Ｇ５Ａと第５Ｂ電極Ｇ５Ｂ間では、画面コーナでの電子ビームの水平、垂直方向を同時にフォーカスさせるための四重極レンズが形成される。第３Ｂ電極Ｇ３Ｂと第５Ａ電極Ｇ５Ａには静的フォーカス電圧ＦＣ供給され、第３Ａ電極Ｇ３Ｂと第５Ｂ電極Ｇ５Ｂには動的フォーカス電圧ＦＶが供給される。第６電極Ｇ６にはアノード電圧が供給され、中間電極ＧＭにはアノードと接地間に介挿した内蔵抵抗体３２を介して第５Ａ電極Ｇ５Ａと第６電極Ｇ６との中間の電圧が供給される。第２電極Ｇ２と第４電極Ｇ４は互いに共通接続される。電子銃の三極構造（いわゆる三極部）３３は、カソードＫと、電子ビームを牽引する第２電極Ｇ２と、それら間に入り電界によって電子ビームを制限している第１電極Ｇ１とで構成される。
【００１９】
そして、第１電極Ｇ１には、各カソードＫＲ，ＫＧ，ＫＢに対して複数、本例では２つのビーム孔３５〔３５Ｒ１及び３５Ｒ２、３５Ｇ１及び３５Ｇ２、３５Ｂ１及び３５Ｂ２〕が形成れ、且つ各同一色のビーム孔３５Ｒ１及び３５Ｒ２、ビーム孔３５Ｇ１及び３５Ｇ２、ビーム孔３５Ｂ１及び３５Ｂ２が、それぞれ画面水平又は垂直方向、本例では画面水平方向に配列するように形成される。
そして、本実施の形態では、特に、各カソードＫＲ，ＫＧ及びＫＢに対向する各同一色の２つビーム孔を、その２つのビーム孔３５Ｒ１と３５Ｒ２の間で、ビーム孔３５Ｇ１と３５Ｇ２の間で、ビーム孔３５Ｂ１と３５Ｂ２の間で、それぞれビーム孔形状、又はビーム孔の大きさ、即ち例えば、径、幅、長さなどの大きさが異なるように形成される。本例では図３Ａに示すように、各同一色の２つのビーム孔を相似形状の真円状にし、且つ一方のビーム孔３５Ｒ１、３５Ｇ１、３５Ｂ１の径φ１１を他方のビーム孔３５Ｒ２、３５Ｇ２、３５Ｂ２の径φ１２より小さくなるように形成される。
【００２０】
また、図３Ｂに示すように、第２電極Ｇ２にも同様に、各カソードＫＲ，ＫＧ及びＫＢに対して複数、本例では２つのビーム孔３６〔３６Ｒ１及び３６Ｒ２、３６Ｇ１及び３６Ｇ２、３６Ｂ１及び３６Ｂ２〕が形成され、且つ各同一色のビーム孔３６Ｒ１及び３６Ｒ２、ビーム孔３６Ｇ１及び３６Ｇ２、ビーム孔３６Ｂ１及び３６Ｂ２が、それぞれ画面水平方向に配列するように形成される。第２電極Ｇ２の各ビーム孔３６の孔構成は、第１電極Ｇ１と同じ構成をとり、各同一色の２つのビーム孔を相似形状の真円状にし、且つ一方のビーム孔３６Ｒ１、３６Ｇ１、３６Ｂ１の径φ２１を他方のビーム孔３５Ｒ２、３５Ｇ２、３５Ｂ２の径φ２２より小さくなるように形成される。
【００２１】
但し、本実施の形態では、図４に示すように（同図は赤色を代表して示す）、２つの電子ビームＢＲ１，ＢＲ２がコンバージェンスするために、第２電極Ｇ２の２つのビーム孔３６Ｒ１及び３６Ｒ２の径φ２１及びφ２２を夫々対応する第１電極Ｇ１の２つのビーム孔３５Ｒ１及び３５Ｒ２の径φ１１及びφ１２より大きく設定すると共に、第２電極Ｇ２のビーム孔３６Ｒ１，３６Ｒ２の夫々が第１電極Ｇ１のビーム孔３５Ｒ１，３５Ｒ２に対して偏心するように形成される。この偏心は、第１電極Ｇ１の各ビーム孔３５Ｒ１，３５Ｒ２の中心を通過した電子ビームＢＲ１，ＢＲ２が第２電極Ｇ２のビーム孔３６Ｒ１，３６Ｒ２を通過する際に、それぞれビーム孔３６Ｒ１，３６Ｒ２の中心より内側に偏った位置を通るようになす。これによって、２つの電子ビームＢＲ１，ＢＲ２は、第２電極Ｇ２を通過する際にそれぞれビーム孔３６Ｒ１，３６Ｒ２の内側端縁に近い部分を通過することになり、互いにコンバージェンスされるように内側へ偏向される。
【００２２】
第１電極Ｇ１、第２電極Ｇ２のその他の緑色、青色に対応するビーム孔についても同様の構成が採られる。ここで、第１電極Ｇ１、第２電極Ｇ２の各２つのビーム孔のうち、大きな径φ１２，φ２２のビーム孔３５〔３５Ｒ２、３５Ｇ２、３５Ｂ２〕、３６〔３６Ｒ２、３６Ｇ２、３６Ｂ２〕を通る電子ビーム束、つまりクロスオーバ径（物点径）の大きい電子ビーム束ＢＲ２，ＢＧ２，ＢＢ２をメインビームと言う。また、小さな径φ１１，φ２１のビーム孔３５〔３５Ｒ１、３５Ｇ１、３５Ｂ１〕、３６〔３６Ｒ１、３６Ｇ１、３６Ｂ１〕を通る電子ビーム束、つまりクロスオーバ径（物点径）の小さい電子ビーム束ＢＲ１，ＢＧ１，ＢＢ１をサブビームと言う。
【００２３】
この電子銃２６１では、各カソードＫＲ，ＫＧ，ＫＢから第１電極Ｇ１、第２電極Ｇ２を通して出射された各色の２つの電子ビームＢＲ１とＢＲ２同士、ＢＧ１とＢＧ２同士、ＢＢ１とＢＢ２同士が交わらない軌道を通って、画面上で互いに集中（コンバージェンス）すると同時に、３色の電子ビームＢＲ（ＢＲ１，ＢＲ２）、ＢＧ（ＢＧ１，ＢＧ２）及びＢＢ（ＢＢ１，ＢＢ２）が集中して夫々画面（蛍光面）２４の対応する赤、緑、青の各色蛍光体層に照射するようになされる。
【００２４】
本実施の形態によれば、第１電極Ｇ１及び第２電極Ｇ２に設けた各カソードＫＲ，ＫＧ及びＫＢに対応する各同一色用の２つのビーム孔を、互いに真円孔（相似形状）にし且つ一方のビーム孔径φ１２、φ２２を夫々対応する他方のビーム孔径φ１１、φ２１より大きくなるように形成することにより、蛍光面２４上で２つの電子ビームは、図５に示すように、一方の径の大きいメインビームのビームスポット４０Ｒ２，４０Ｇ２，４０Ｂ２の夫々の中に他方の径の小さいサブビームのビームスポット４０Ｒ１，４０Ｇ１，４０Ｂ１が有る状態でコンバージェンスされる。従って、２つの電子ビームがコンバージェンスされた状態でのビームスポットサイズ（Ｖｓｓ）は、メインビームＢＲ２，ＢＧ２，ＢＢ２のスポットサイズで決まり、ばらつきが抑えられる。
このカラー陰極線管用の電子銃２６１では、メインビームスポットの中にサブビームスポットが有る状態に調整し易く、赤、緑、青の電子ビーム間のビームスポットサイズ（Ｖｓｓ）のばらつきを小さくできる。
【００２５】
従って、本実施の形態の電子銃２６１を備えたカラー陰極線管２１では、１つのカソードＫＲ，ＫＧ、ＫＢに対して１本の電子ビームのみを出射する電子銃を備えたカラー陰極線管に比べて、スポットサイズ（Ｖｓｓ）が小さいまま高輝度にすることができ、さらに各色間のビームスポットサイズ（Ｖｓｓ）のばらつきも抑制することができる。従って、カラー陰極線管における高輝度、高精細度の画質化を可能にする。
【００２６】
各２つのビーム孔の配列は、画面水平方向あるいは画面垂直方向の配列が可能であるが、偏向ヨークには、蛍光面上の電子ビームを画面水平方向に収束させる機能があるので、これを利用することで水平方向の収束がし易くなるという理由で、画面水平方向の配列が好ましい。
【００２７】
一方、本実施の形態において、電子銃の各電極の組立て時の位置決めは、図７（第１電極Ｇ１に例をとる）に示すように、各色用のビーム孔３５〔３５Ｒ１及び３５Ｒ２、３５Ｇ１及び３５Ｇ２、３５Ｂ１及び３５Ｂ２〕とは異なる位置、本例れは、各ビーム孔３５が画面水平方向に配列されているので、これと直交する軸上に１対のインデクス用孔４２Ａ，４２Ｂを形成し、このインデックス用孔４２Ａ，４２Ｂを用いて電極間の位置決めを行っている。このため、第１電極Ｇ１、第２電極Ｇ２のビーム孔は真円孔に限らず長円孔等の他の形状のビーム孔とすることが可能になる。
【００２８】
上述の実施の形態では、図３に示すように、２つのビーム孔において、メインビーム用のビーム孔３５Ｒ２、３５Ｇ２、３５Ｂ２とサブビーム用のビーム孔３６Ｒ１、３６Ｇ１、３６Ｂ１を共に真円孔にしたが、その他、例えば図６Ａ（第１電極Ｇ１に例をとる）に示すように、２つのビーム孔のうち、一方のメインビーム用のビーム孔４４Ｒ２，４４Ｇ２，４４Ｂ２を長円孔とし、他方のサブビーム用のビーム孔４４Ｒ１４４Ｇ１，４４Ｂ１を真円孔に形成するともできる。この条件は、長円孔４４Ｒ２，４４Ｇ２，４４Ｂ２の幅ｄと真円孔４４Ｒ１４４Ｇ１，４４Ｂ１の径φの関係をｄ≧φとすることができ、また、真円孔と長円孔の面積ＳとＳ′の関係をＳ＝Ｓ′とすることも可能である。
また、図６Ｂ（第１電極Ｇ１に例をとる）に示すように、２つのビーム孔において、メインビーム用のビーム孔４５Ｒ２，４５Ｇ２，４５Ｂ２とサブビーム用のビーム孔４５Ｒ１，４５Ｇ１，４５Ｂ１を共に長円孔で形成することできる。このときの条件は、メインビーム用のビーム孔４５Ｒ２，４５Ｇ２，４５Ｂ２の長さｌ１，幅ｄ１、サブビーム用のビーム孔４５Ｒ１，４５Ｇ１，４５Ｂ１の長さｌ２，幅ｄ２とするとき、ｌ１＞ｌ２，ｄ１≧ｄ２とすることができる。
更に、図６Ｃ（第１電極Ｇ１を例にとる）に示すように、１つのカソードに対して並列する３つのビーム孔を設け、例えば中央のビーム孔４６Ｒ２，４６Ｇ２，４６Ｂ２メインビーム用とし、各両側の２つのビーム孔４６Ｒ１，４６Ｇ１，４６Ｂ１をサブビーム用として構成することができる。本例では中央のメインビーム用を長円孔とし、両側のサブビーム用を真円孔としている。ビームスポットサイズ（Ｖｓｓ）の改善を考えたとき、１つのカソードに対して３つ以上のビーム孔を設ける場合、１つのビーム孔をメインビームとし、残りをサブビーム孔とするのが、より好ましい。
従って、本発明に係る同一色の複数のビーム孔は、少なくとも２つのビーム孔間で、互いに形状の異なる即ち非相似形状で且つ大きさの異なるメインビーム用及びサブビーム用のビーム孔とする場合、互いに相似形状で且つ大きさの異なるメインビーム用及びサブビーム用のビーム孔とする場合が可能である。
【００２９】
２つビーム孔を例に採ると、メインビーム用のビーム孔とサブビーム用のビーム孔は、次の様な一般化した組み合わせが考えられる。即ち、一方の第１電極Ｇ１のメインビーム用のビーム孔とサブビーム用のビーム孔が共に異なる場合をＡタイプ、共に同じ場合をＢタイプとし、他方の第２電極Ｇ２のメインビーム用のビーム孔とサブビーム用のビーム孔が共に異なる場合をＣタイプ、共に同じ場合をＤタイプとする。このときの組み合わせは、ＡタイプとＣタイプの組み合わせ、ＡタイプとＤタイプの組み合わせ、ＢタイプとＣタイプの組み合わせが可能になる。
【００３０】
上述の図３に示す実施の形態では、第１電極Ｇ１及び第２電極Ｇ２の各カソードに対応する２つのビーム孔に対して、互いの径φ１１とφ１２、径φ２１とφ２２を異ならす構成としたが、その他、例えば第１電極Ｇ１の各同一色の２つのビーム孔のみを異なる径φ１１とφ１２にした構成とすることもできる。また、例えば第２電極Ｇ２の各同一色の２つのビーム孔のみを異なる径φ１１とφ１２にした構成とすることもできる。さらに、三極部３３以外の電極に対しても各同一色の２つのビーム孔を形成し、その２つのビーム孔間で径を異ならす構成とすることもできる。このような第１電極Ｇ１のみ、第２電極Ｇ２のみ、あるいは三極部以外の電極に対するビーム孔の構成は、図６Ａ，Ｂ，Ｃに示すビーム孔形状にも適用きる。
【００３１】
複数ビーム方式の電子銃の電極構成としては、図２に示す以外の種々の電極構成に対しても、本発明は適用できる。
【００３２】
上例では、本発明をカラー陰極線管用の電極に適用したが、その他、例えば投射型表示装置（いわゆるプロジェクタ）に用いる単色陰極線管用の複数ビーム方式の電子銃にも適用可能である。
【００３３】
さらに、本発明は、上述の本発明電子銃を備えた陰極線管、例えば複数ビーム方式の電子銃２６１を備えたからー陰極線管２１をセットに組み込み、例えばテレビ受像機、モニター、ディスプレイ等の表示装置、あるいは単色用電子銃を備えた単色陰極線管を有する投射型表示装置（カラープロジェクタ）として構成することができる。
係る表示装置によれば、画面上でのビームスポット径の劣化を抑制し、より高解像度、高輝度の画質の得られる表示装置を提供することができる。
【００３４】
【発明の効果】
本発明に係る複数ビーム方式の電子銃によれば、第１電極、あるいは第１電極と第２電極、あるいは第２電極、あるいは第１電極を含む電極において、１つのカソードに対応して複数のビーム孔を設け、その複数のビーム孔の形状又は大きさを少なくとも２つのビーム孔の間で異ならすことにより、物点径の大きいメインビームに物点径の小さいサブビームをコンバージェンスさせることができ、ビームスポットサイズのばらつきを抑え、高輝度で且つ高精細の良好なビームスポットを得ることができる。
カラー陰極線管用の電子銃としたときには、各色間でのビームスポットサイズのばらつきを抑制することができる。
【００３５】
本発明に係る表示装置によれば、上記複数ビーム方式の電子銃を備えることにより、ビームスポットサイズのばらつきが抑えられ、高輝度、より高解像度、即ち高精細の画質が得られる表示装置を提供することができる。
【図面の簡単な説明】
【図１】本発明の一実施の形態に係るカラー陰極線管の構成図である。
【図２】本発明の一実施の形態に係る複数ビーム方式の電子銃の構成図である。
【図３】Ａ　本実施の形態に係る電子銃の第１電極の平面図である。
Ｂ　本実施の形態に係る電子銃の第２電極の平面図である。
【図４】本実施の形態に係る電子銃の第１電極及び第２電極の部分を示す断面図である。
【図５】本発明の説明に供する蛍光面上でのビームスポット状態の説明図である。
【図６】Ａ〜Ｃ　１つのカソードに対する複数のビーム孔の他の実施の形態を示す電極の平面図である。
【図７】複数のビーム孔とインデックス用孔の関係を示す電極の平面図である。
【図８】一般的な電子銃の一例を示す電子銃の構成図である。
【図９】図８の第１電極の平面図である。
【符号の説明】
２１・・・カラー陰極線管、２２・・・陰極線管体、２２Ｐ・・・パネル、２２Ｎ・・・ネック部、２４・・・蛍光面、２５・・・色選別機構、２６、２６１・・・電子銃、２７・・・偏向ヨーク、Ｋ〔ＫＲＫＧ及びＫＢ〕・・・カソード、Ｇ１〜Ｇ６・・・電極、Ｇ７・・・シールドカップ、３２・・・内蔵抵抗体、３３・・・三極部、３５〔３５Ｒ１及び３５Ｒ２、３５Ｇ１及び３５Ｇ２、３５Ｂ１及び３５Ｂ２〕・・・第１電極のビーム孔、３６〔３６Ｒ１及び３６Ｒ２、３６Ｇ１及び３６Ｇ２、３６Ｂ１及び３６Ｂ２〕・・・第２電極のビーム孔、ＢＲ，ＢＧ，ＢＢ・・・電子ビーム
【図１】
2004006144.tif 000003
【図２】
2004006144.tif 000004
【図３】
2004006144.tif 000005
【図４】
2004006144.tif 000006
【図５】
2004006144.tif 000007
【図６】
2004006144.tif 000008
【図７】
2004006144.tif 000009
【図８】
2004006144.tif 000010
【図９】
2004006144.tif 000011